(57)【要約】【課題】微細な汚れ及び大きなデブリの両方を拾い上げるのに適した真空掃除機用吸引ノズルの新しいデザインを提供する。【解決手段】真空掃除機の吸引ノズルであって、吸引ノズルは、吸引チャンバと、吸引チャンバから延びて真空掃除機の真空源へ接続するための出口ダクトと、カーペット床面上でノズルを支持するためのソールプレートと、吸引チャンバに開口するソールプレートの吸引開口と、ノズルの前部を通るブリード通路を手動操作で開閉可能なバルブとを備え、ブリード通路は、ソールプレートの底面に形成され出口ダクトに流体接続するチャネルによって形成され、チャネルは、吸引ノズルが前方に押し進められる際にデブリを流入させるために、ノズルの前部の流入スロットで終端し、チャネルは、流入スロットの下流にスロートを形成し、スロートは、流入スロットよりも断面積が小さい。【選択図】図４
2016163707.tif 000002
【特許請求の範囲】
【請求項１】
真空掃除機の吸引ノズルであって、
吸引チャンバと、
前記吸引チャンバから延び、前記真空掃除機の真空源へ接続するための出口ダクトと、
カーペット床面上で前記ノズルを支持するためのソールプレートと、
前記吸引チャンバに開口する前記ソールプレートの吸引開口と、
前記ノズルの前部を通るブリード通路を手動操作で開閉可能なバルブと、
を備え、
前記ブリード通路は、前記ソールプレートの底面に形成され前記出口ダクトに流体接続するチャネルによって画定され、前記チャネルは、前記吸引ノズルが前方に押し進められる際にデブリを流入させるために、前記ノズルの前部の流入スロットで終端し、前記チャネルは、前記流入スロットの下流にスロートを画定し、前記スロートは、流入スロットよりも断面積が小さい、吸引ノズル。
【請求項２】
前記チャネルは、前記流入スロットと前記スロートとの間にテーパー状セクションを含み、前記テーパー状セクションは、前記スロートに向かって内向きにテーパー状になっている、請求項１に記載の吸引ノズル。
【請求項３】
前記チャネルは、前記吸引チャンバを介して前記出口ダクトに流体接続する、請求項１又は２に記載の吸引ノズル。
【請求項４】
前記ソールプレートの底面のチャネルは、前記吸引開口と一体化されている、請求項３に記載の吸引ノズル。
【請求項５】
前記バルブは、該バルブが開く開放位置と該バルブが閉じる閉鎖位置の間で手動操作可能なバルブ部材を含む、請求項１から４のいずれかに記載の吸引ノズル。
【請求項６】
前記チャネルの少なくとも一部は、前記バルブ部材に形成される、請求項５に記載の吸引ノズル。
【請求項７】
前記バルブ部材は、前記開放位置と前記閉鎖位置との間を手動でスライド可能である、請求項５又は６に記載の吸引ノズル。
【請求項８】
前記バルブ部材は、吸引ノズルの内部に格納され、前記バルブ部材は、前記吸引ノズル上部のガイドスロットから突出したスライドハンドルによって手動でスライド可能である、請求項７に記載の吸引ノズル。
【請求項９】
前記バルブ部材は、前記チャネルの少なくとも一部のセクションを組み込むスライド部材であり、前記吸引チャンバの前壁は入口を備え、前記バルブ部材は、前記チャネルセクションが前記入口スロットを前記吸引チャンバの前記前壁の入口に流体接続する開放位置と、前記バルブ部材が前記入口スロットを遮る閉鎖位置との間を手動でスライド可能である、請求項７又は８に記載の吸引ノズル。
【請求項１０】
前記流入スロットは、前記吸引ノズルを前方から見た場合、前記吸引ノズルの中央に配置さる、請求項１から９のいずれかに記載の吸引ノズル。
【請求項１１】
前記流入スロットは、前記清掃ヘッドの全幅にわたって横方向に延びる真っ直ぐな前端部に組み込まれる、請求項１から１０のいずれかに記載の吸引ノズル。
【請求項１２】
前記ノズルは、前記吸引チャンバの内部に、前記吸引開口を介してカーペット床面に係合して攪拌するための撹拌器を含む、請求項１から１１のいずれかに記載の吸引ノズル。
【請求項１３】
請求項１から１２のいずれかに記載の吸引ノズルを組み込んだ真空掃除機。
【発明の詳細な説明】
【技術分野】
【０００１】
本発明は、真空掃除機の吸引ノズルに関する。
【０００２】
本発明は、どのような特定の形式の真空掃除機用の吸引ノズルにも限定されない。例えば、本発明は、直立型真空掃除機の清掃ヘッド、及び円筒形真空掃除機又は携帯型真空掃除機の床ツールの両方を含む。
【背景技術】
【０００３】
真空掃除機の清掃性能を特徴付ける１つの方法は、いわゆる「ピックアップ」性能を参照することであり、「ピックアップ」性能は、真空掃除機が床面から汚れ及びデブリを拾い上げる性能である。
【０００４】
望ましいピックアップ性能は、微細な汚れと同様に、例えば、特定のペットスナック、朝食用シリアル、米粒等のいわゆる「大きなデブリ」を拾い上げる能力を含むことが多い。
【０００５】
真空掃除機の吸引ノズルのデザインは、真空掃除機のピックアップ性能を決定する１つの要因である。
【発明の概要】
【発明が解決しようとする課題】
【０００６】
本発明の目的は、微細な汚れ及び大きなデブリの両方を拾い上げるのに適した真空掃除機用吸引ノズルの新しいデザインを提供することである。
【課題を解決するための手段】
【０００７】
本発明では、真空掃除機の吸引ノズルを提供し、吸引ノズルは、吸引チャンバと、吸引チャンバから延びて真空掃除機の真空源へ接続するための出口ダクトと、カーペット床面上でノズルを支持するためのソールプレートと、吸引チャンバに開口するソールプレートの吸引開口と、ノズルの前部を通るブリード通路を手動操作で開閉可能なバルブとを備え、ブリード通路は、ソールプレートの底面に形成され出口ダクトに流体接続するチャネルによって形成され、チャネルは、吸引ノズルが前方に押し進められる際にデブリを流入させるために、ノズルの前部の流入スロットで終端し、チャネルは、流入スロットの下流にスロートを形成し、スロートは、流入スロットよりも断面積が小さい。
【０００８】
ノズルの前部に流入スロットを設けることで、大きなデブリのピックアップ性能がもたらされる。
【０００９】
流入スロットの下流のスロートは、真空掃除機を使用する際にブリード通路を通って引き込まれる利用可能な流れの割合を制限するために、ブリード通路に流れ抵抗をもたらし、有効な微細な埃のピックアップのために、むしろ主吸引開口を通って流れの大部分が吸引開口を通って引き込まれる。これにより、流入スロットの幅を規定することで大きなデブリのピックアップ、及びスロートの断面積を規定することで微細な埃のピックアップの両方をある程度独立して最適化することが可能になる。
【００１０】
微細な埃のピックアップを最大化するため、ノズルは、ブリード通路を完全に閉鎖することができる手動バルブを組み込み、実際に使用時に、吸引ノズルを通る全ての流れを吸引開口から引き込むことができる。これにより、大きなデブリをピックアップする必要がない場合、ユーザーに付加的な自由度を提供する。
【００１１】
チャネルは、流入スロットとスロートとの間に、スロートに向かって内向きにテーパー付けされたテーパー状セクションを組み込むことができる。このテーパー状セクションは、流入スロットからスロートまで延びることが望ましいが、これは必須ではなく、代わりに、流入スロットからスロートとの間のチャネルの短いセクションだけをテーパー状にすることもできる。
【００１２】
チャネルの内向きにテーパー付けされたセクションは、デブリをスロートに向かって内向きに送り込むのに好都合である。
【００１３】
チャネルは、吸引チャンバを介して出口ダクトに流体接続することができ、デブリは、最初に主吸引チャンバに入り、そこから出口ダクトを通って送られる。これは比較的単純な構成であり、出口ダクトを吸引チャンバ及びチャネルにそれぞれ接続する並行な経路を個別に用意する必要がない。特定の構成において、ソールプレートの底面のチャネルは、吸引開口と一体化され、吸引チャンバに対するチャネルの直接的かつ単純な接続が可能になる。
【００１４】
チャネルは、バルブの一部を形成すること、又はソールプレートの一部を形成することができ、代替的に、チャネルの別々のセクションは、ソールプレート及びバルブの一部をそれぞれ形成することができる。
【００１５】
バルブは、バルブを開く開放位置とバルブを閉じる閉鎖位置との間を手動で移動可能なバルブ部材を備えることができる。
【００１６】
チャネル、又はチャネルの少なくとも一部は、バルブ部材で形成することができる。
【００１７】
１つの実施形態において、チャネルはソールプレートの一部を形成し、バルブ部材は、バルブを開く開放位置とバルブを閉じる閉鎖位置との間を移動可能なスライドシャッターである。スライドシャッターは、好ましくは流入スロットを遮るように配置され、好ましくは流入スロットを閉鎖して、デブリが流入スロットに流入するのを阻止する。
【００１８】
別の実施形態において、バルブ部材は、チャネルの少なくとも一部のセクションを組み込むスライド部材であり、吸引チャンバの前壁は入口を含み、バルブ部材は、チャネルセクションが流入スロットと吸引チャンバの前壁の入口とを流体接続する開放位置と、バルブ部材が流入スロットを遮る閉鎖位置との間を手動でスライド可能である。
【００１９】
好ましくは、流入スロットは、吸引ノズルの前方から見て、ノズルの中央に配置される。
【００２０】
吸引ノズルは、吸引チャンバの内部にカーペット床面に係合して撹拌するための撹拌機を備えることができる。
【００２１】
流入スロットは、清掃ヘッドの真っ直ぐな前端部の一部とすることができる。この前端部は、吸引ノズル前部の全幅にわたることが好ましい。
【００２２】
好ましくは、アクチュエータは、吸引ノズルの外部に配置され、手動操作でバルブを開放位置と閉鎖位置との間で移動させるようになっている。例えば、スライドバルブ部材を使用する場合、アクチュエータは、スライドバルブ部材に固定又は作動可能に結合した外部スライドハンドルとすることができる。スライドバルブ部材自体は、吸引ノズルの内部に格納することができ、その場合、外部ハンドルは、吸引ノズルの外壁のガイドスロットから突出することができる。
【００２３】
また、本発明の他の態様において、吸引ノズルを組み込んだ吸引ノズルが提供される。真空掃除機は直立型真空掃除機とすることができる。
以下、添付図面を参照して本発明の１又は２以上の実施形態を説明する。
【図面の簡単な説明】
【００２４】
【図１】本発明による直立型真空掃除機（図示せず）の清掃ヘッドを示す斜視図であり、バルブは開放され、ノズルの前部を通るブリード通路が形成されている。
【図２】図１の清掃ヘッドの正面図である。
【図３】図１の清掃ヘッドの底面の平面図である。
【図４】図１の清掃ヘッドの底面を示す斜視図である。
【図５】図１から４に示す清掃ヘッドの斜視図であるが、バルブ開放時のスライド部材の位置を示すためにソールプレートが取り外されている。
【図６】図５で除外したソールプレートの正面斜視図である。
【図７】図５で除外したソールプレートの背面斜視図である。
【図８】本発明における、図１から４に示した清掃ヘッドの底面を示す斜視図であるが、バルブは閉鎖されている。
【図９】図８に対応した斜視図であるが、バルブ閉鎖時のスライド部材の位置を示すためにソールプレートが取り外されている。
【発明を実施するための形態】
【００２５】
図１から図４は、直立型真空掃除機のための清掃ヘッドの形態の吸引ノズルを示す。直立型真空掃除機自体の他の部分は例示されていないが、従来型と見なすことができる。
【００２６】
清掃ヘッド１は、該清掃ヘッド１の中心線Ａに沿って配置された後側ネック部３と、該後側ネック部３に対して直角に横軸Ｂに沿って延びるほぼ半円筒形のヘッドセクション５とを備え、清掃ヘッド１は、ほぼ逆Ｔ字形である（図３参照）。
【００２７】
後側ネック部３は、直立型真空掃除機の本体の吸引開口へ従来通りに接続する、清掃ヘッド１の出口ダクトを形成する。この出口ダクトは、ヘッドセクション５の内部の半円筒形の吸引チャンバ７に接続し、ヘッドセクション５は、横軸Ｂに沿って吸引チャンバ７の内部に回転自在に取り付けられた被駆動ブラシバー９の形態の撹拌機を収容する。ブラシバー９は、矩形の吸引開口１１から突出するように取り付けられ、吸引開口１１は、半円筒形ヘッドセクション５の平らな底面を形成するほぼ矩形のソールプレート１３に設けられる。
【００２８】
使用時、ソールプレート１３は、カーペット床面に係合して吸引開口１１の周囲に作動シールを形成し、後側ネック部３の出口ダクトに加えられた吸引力により、吸引チャンバ７の内部の制限されたヘッド圧が、ソールプレート１３の下の汚れを含んだ空気を（カーペットの繊維を通って）吸引開口１１から吸引チャンバ７に吸い込み、後側ネック部３の出口ダクトを通って引き出す。
【００２９】
作動シールは、ピックアップ性能のために重要である。つまり、吸引開口１１を通る汚れを含んだ空気の有効流れは、吸引開口１１の周囲に有効な作動シールを必要とする。しかしながら、このことは、比較的大きなデブリが、ソールプレート１３の下を通過できないという問題を引き起こす。つまり、単純にデブリが大きすぎる。従って、大きなデブリのピックアップ性能をもたらすために、清掃ヘッドは、清掃ヘッド１の前部の比較的大きな流入スロット１５を通るブリード通路を手動で開閉操作可能なバルブを備える。
【００３０】
ブリード通路は、ソールプレート１３の底面上に形成されたチャネル１７によって定められ、図１から４に示すようにバルブが開放される場合、ソールプレート１３が同様にチャネル１７の周囲に（カーペット床面に対して）作動シールを形成するような方法でもって、清掃ヘッド前部の流入スロット１５を吸引チャンバ７の前壁７ａの入口１９に接続する。
【００３１】
チャネル１７は２つのセクションを含み、これは、入口１９と同じ断面積を有し、流入スロット１５よりも小さな断面積を有しかつスロートを定める後方セクション１７ａと、流入スロット１５から後方セクション１７ａに向かってテーパー付けされたテーパー状の前方セクション１７ｂである。
【００３２】
使用時、直立型真空掃除機（及びノズル自体）を前方に押し進めると、大きなデブリは、ノズル前部の流入スロット１５を通って流入する。ここから、大きなデブリは、チャネル１７を通り、テーパー状の前方セクション１７ｂを通り、後方セクションに１７ａを通過して入口１９に送り込まれる。
【００３３】
吸引チャンバ７の内部の負のヘッド圧は、チャネル１７に作用して、大きなデブリのピックアップを助ける。それにもかかわらず、スロートを形成する比較的狭い後方セクション１７ａは、ブリード通路を制限し、ブリード通路を通って引き込まれる利用可能な空気流を制限し、むしろ流れの大部分が吸引開口１１から引き込まれることを保証する。これにより、広い「収集」エリアをもたらすように流入スロット１５の幅を規定することによる大きなデブリのピックアップ性能、及び流れの大部分が吸引開口１１を通るよう案内するように後方セクション１７ａの断面積を規定することによる微細な埃のピックアップ性能の両方をある程度独立して最適化することが可能になる。
【００３４】
微細な埃のピックアップ性能を最大化するため、バルブを閉じてブリード通路を完全に閉鎖することができ、実際の使用時に、清掃ヘッド１を通る全ての流れは、吸引開口１１を通って引き込まれる。これにより、大きなデブリをピックアップする必要がない場合に、ユーザーに付加的な自由度をもたらす。
【００３５】
バルブは、細長いスライドバルブ部材２１によって閉鎖され、スライドバルブ部材２１は、流入スロット１５と入口１９との間にチャネル１７を形成し、清掃ヘッドの前部に沿って横軸Ｂに平行に延在する横方向案内チャネル２３の内部に収容される（図６参照）。従って、スライドバルブ部材２１は、図５に示す開放位置、すなわちチャネル１７が流入スロット１５を入口１９と接続した状態（さらに図１を参照）と、図９に示す閉鎖位置、すなわちバルブ（及びノズル前部を通るブリード通路）を閉鎖するようにスライドバルブ部材２１が流入スロット１５を遮る状態（さらに図８そ参照）との間をスライドするように構成されている。
【００３６】
スライドバルブ部材は、ヘッドセクション５の前側緩衝部３１の上部に形成された外部ガイドスロット２７から外側に突出する、バルブ部材のスライドハンドル２５によって手動操作される。
【００３７】
流入スロット１５は、前方から見て清掃ヘッド１の中央に配置され、清掃ヘッド１の全幅にわたって延びる、清掃ヘッド１の真っ直ぐな前端部２９に組み込まれる。従って、清掃ヘッド１の前部、特に流入スロットは、壁部又はスカート部に近接させることができ、清掃ヘッドは、流入スロットを通るブリード通路によって、壁の近くでの何らかの追加的な「端部ピックアップ」を可能にする。
【００３８】
別の実施形態において（図示せず）、チャネルは、スライドバルブ部材でなく、ソールプレート自体で形成することができる。この構成では、スライドバルブ部材は、チャネルが開く開放位置とシャッターがチャネルを遮る閉鎖位置との間で移動可能なスライドシャッターの形態とすることができる。例えば、スライドシャッターは、閉鎖位置では流入スロットを遮るように配置することができ、代替的に、閉鎖位置では吸引チャンバへの入口を遮るように配置することができる。
【００３９】
チャネルは、必ずしも吸引チャンバを介して出口ダクトに接続する必要はない。例えば、別の実施形態において（図示せず）、チャネルは、吸引チャンバをバイパスするバイパスダクトを介して出口ダクトに接続することができる。
【００４０】
バルブ部材が開放位置と閉鎖位置との間を移動可能であれば、スライドバルブ部材は必須ではない。例えば、代替的に回転バルブを備えることができる。
【００４１】
本発明は、他の形式の真空掃除機、例えば、円筒型真空掃除機又は携帯型／スティック型真空掃除機の床ツールの一部として同様に実装することができる。
【符号の説明】
【００４２】
１  清掃ヘッド
３  後側ネック部
５  ヘッドセクション
７  吸引チャンバ
７ａ  前壁
９  ブラシバー
１１  吸引開口
１３  ソールプレート
１５  流入スロット
１７  チャネル
１７ａ  後方セクション
１７ｂ  前方セクション
１９  入口
２１  スライドバルブ部材
２３  ガイドチャネル
２５  スライドハンドル
２７  案内スロット
２９  前端部
３１  前部緩衝部
Ａ  中心線
Ｂ  横軸
【図１】
2016163707.tif 000003
【図２】
2016163707.tif 000004
【図３】
2016163707.tif 000005
【図４】
2016163707.tif 000006
【図５】
2016163707.tif 000007
【図６】
2016163707.tif 000008
【図７】
2016163707.tif 000009
【図８】
2016163707.tif 000010
【図９】
2016163707.tif 000011
【外国語明細書】
2016163707000001.pdf